(57)【特許請求の範囲】
【請求項１】
水路を開閉する弁体と、支点を中心として下方側または上方側へ傾動することにより前記弁体を閉または開方向へ移動させることのできる該弁体に連繋されたテコ板と、該テコ板が下方側または上方側へ傾動される時に、傾動回転力を与え、かつ傾動完了後の位置保持力を与えることのできるバネを、前記テコ板を支点へ押し付ける方向に配設したことを特徴とする水栓等の弁体作動機構。
【請求項２】
前記水路を開閉する弁体に、該弁体が閉じる方向へ移動される時に徐々に流量を絞り込むことのできる節水コマ形状部を設けたことを特徴とする請求項１に記載の水栓等の弁体作動機構。
【発明の詳細な説明】
【０００１】
【産業上の利用分野】
この発明は、水栓等における弁体を作動させる作動機構に関するものである。
【０００２】
【従来の技術及びその課題】
従来、水栓等における弁体を開閉作動させるために、ネジ機構等によるハンドル操作で弁体を上下動させており、従来においては、ワンタッチで弁体を開閉作動させることが困難で、水栓等の使用勝手が面倒であるという問題点があった。
【０００３】
【課題を解決するための手段】
本発明は上記従来の問題点に鑑み案出したものであって、軽い力でワンタッチで水栓等の弁体を開閉作動させることのできる作動機構を提供せんことを目的とし、その第１の要旨は、水路を開閉する弁体と、支点を中心として下方側または上方側へ傾動することにより前記弁体を閉または開方向へ移動させることのできる該弁体に連繋されたテコ板と、該テコ板が下方側または上方側へ傾動される時に、傾動回転力を与え、かつ傾動完了後の位置保持力を与えることのできるバネを、前記テコ板を支点へ押し付ける方向に配設したことである。
また、第２の要旨は、前記水路を開閉する弁体に、該弁体が閉じる方向へ移動される時に徐々に流量を絞り込むことのできる節水コマ形状部を設けたことである。
【０００４】
【実施例】
以下、本発明の実施例を図面に基づいて説明する。
図１は、水栓の縦断面構成図であり、また図２は、その平面構成図である。また図３は、図１及び図２における弁体作動機構の要部を構成する部材の分解斜視図である。
【０００５】
図において、水栓１の本体部２内には水路Ｒが形成されており、その先端には吐水口２ａが形成されている。また、水栓の本体部２内には水路Ｒを仕切る仕切壁３が設けられており、この仕切壁３には開口Ｋが上下方向に貫通形成されて、開口Ｋの上面外周が座部３ａとなっている。この座部３ａ上に当接して開口Ｋを閉じることのできる弁体４が上下動可能に設けられており、弁体４は、前記開口Ｋを開閉できるゴム弁４ａの上面に弁フランジ４ｂが配設され、弁フランジ４ｂには上方へ一体状に突出して弁軸４ｃが形成され、この弁軸４ｃは、本体部２の上面を覆蓋するオーリングＯを有する封止部材５を貫通して本体部２より上方へ突出されており、この弁軸４ｃの上端にはテコ板１１が連繋され、テコ板１１の外周にはカバー１２が設けられている。なお、前記封止部材５の上面には上面部材６が固設されており、この上面部材６に対し前記テコ板１１がバネ１０を介して取り付けられている。
【０００６】
即ち、図３の分解図においてさらに詳細に説明すると、前記上面部材６は、固定板部７と、この固定板部７の両側に立設された側面板部８，８と、背面側に立設された背面板部９を備えており、前記固定板部７が封止部材５の上面にネジ固定されるものであり、ネジを挿入するための固定ネジ孔７ｂが固定板部７に形成されているとともに、前記弁軸４ｃが挿通する弁軸孔７ａが固定板部７に形成されている。また、前記一対の側面板部８，８の前面側には凹み状に支点凹部８ａ，８ａがそれぞれ形成されたものとなっている。また、前記背面板部９には上方側へ突出して鉤状のバネ引掛片９ａ，９ａが一対形成され、バネ支持点Ｙを形成している。
【０００７】
また、前記テコ板１１は、バネ１０，１０が内装される前後方向に切り欠かれたバネ孔部１１ａ，１１ａが貫通形成され、外側へ段状に切り欠いて支点段部１１ｂ，１１ｂが形成され、さらに支点段部１１ｂ，１１ｂから側面孔１１ｃ，１１ｃが後方側へ形成されて、側面孔１１ｃから背面孔１１ｄが切り抜き状に貫通形成されたものとなっており、中央部には中央凸部１１ｅが形成されている。また、テコ板１１の前部は前方側へ延出されて延出レバー部１１ｆを形成している。
【０００８】
また、一対のバネ１０は、それぞれ後端及び前端に引掛端部１０ａ，１０ｂが形成されたものとなっている。この一対のバネ１０，１０は、それぞれ後端の引掛端部１０ａ，１０ａを前記バネ引掛片９ａ，９ａに引っ掛けて、前後方向に前記バネ孔部１１ａ，１１ａ内に内装され、その前端側の引掛端部１０ｂ，１０ｂがそれぞれテコ板１１に形成されたバネ引掛孔１１ｇ，１１ｇに引っ掛け状に係止されるものである。また、一対のバネ１０，１０を取り付けた状態で前記テコ板１１の支点段部１１ｂ，１１ｂは、前方側より前記側面板部８，８にそれぞれ形成された支点凹部８ａ，８ａに係合されて、支点凹部８ａ，８ａに支点段部１１ｂ，１１ｂが当接した状態で、この部分がテコ板１１を上下方向に傾動させる際の支点Ｘとなる。
【０００９】
このように一対のバネ１０，１０を介在させて上面部材６にテコ板１１を上下方向に傾動可能に取り付け、テコ板１１には弁体４の弁軸４ｃの上端を連結させることにより、テコ板１１の延出レバー部１１ｆが下方側へ傾動された時には、ゴム弁４ａが開口Ｋを閉ざして吐水口２ａからの吐水を停止させ、逆に、テコ板１１が想像線で示すように上方側へ傾動された時には、ゴム弁４ａは座部３ａから上方側へ離反され、開口Ｋが開かれ、吐水口２ａから吐水が行われるものである。
【００１０】
なお、テコ板１１を上下方向に傾動操作する際に、前記一対のバネ１０，１０のバネ力が作用することとなる。即ち、図１の状態からテコ板１１の延出レバー部１１ｆを上方側へ開方向に操作する際に、操作力によりテコ板１１の延出レバー部１１ｆが上方側へ向かって傾動され、前記支点段部１１ｂと支点凹部８ａの当接する支点Ｘとバネ支持点Ｙとで形成されるつりあい平面Ｚでは回転力ゼロとなり、その位置を超えた時には、バネ１０，１０の付勢力によりテコ板１１には上方側への回転力が付与され、バネ１０，１０により軽い力で上方側へテコ板１１が傾動されることとなる。また、上方側へテコ板１１が傾動完了した後にはバネ１０，１０の付勢力によりその傾止状態が強固に保持されることとなり、弁体４は開状態に維持される。
【００１１】
また、逆に弁体４の開状態からテコ板１１の延出レバー部１１ｆを下方側へ押圧して弁体４を閉じる方向、即ち下方側へ操作する際にも、テコ板１１がつりあい平面Ｚを超えた時点で逆にバネ１０，１０の付勢力は下方側への傾動回転力をテコ板１１に与えることとなり、テコ板１１は軽い力で下方側へ傾動し、弁体４のゴム弁４ａが座部３ａに当接し、開口Ｋが閉じられることとなる。この状態でもバネ１０，１０の付勢力により閉止状態が保持されるものである。なお、バネ１０は２本左右に配設されているため、テコ板１１の振れとかガタつきが良好に抑えられて、テコ板１１は上下方向にのみ良好に軽い力で傾動操作することができるものとなり、操作力が極めて軽く、かつワンタッチ操作によりテコ板１１を上下操作して弁体４を開閉させることができるものとなる。
【００１２】
次に、図４は変更例を示すものであり、図４では、水栓の本体部２内の仕切壁３を逆向きに形成させて、仕切壁３の開口Ｋの下流側に前記弁体４を当接可能に配置させたものである。その他の構成は図１のものと同様である。即ち、図４では、前記一対のバネ１０，１０の下方側への付勢力により弁体４を座部３ａに押し付けて開口Ｋを閉止する構成のものであり、テコ板１１を上方側、即ち開方向へ操作する時には、バネ１０，１０の付勢力に抗してテコ板１１を上方へ押し上げ操作することとなる。しかし、この場合でも、つりあい平面Ｚを超えた時にはバネ１０，１０の付勢力は上方に向かう傾動回転力に変わるためにテコ板１１は軽い力で上方へ跳ね上がり、バネ１０，１０により強固に開状態が保持されるものとなる。
【００１３】
従って図４のような構造においても、バネ１０，１０により、テコ板１１がつりあい平面Ｚ位置を超えた時にはテコの原理で操作する方向への回転力が良好に与えられて、極めて軽い力でテコ板１１の操作を行うことができ、かつバネ１０，１０の付勢力により良好な閉止状態及び開放状態を保持することができるものとなる。
【００１４】
次に、図５は変更例を示すものであり、図５では、前記弁体４のゴム弁４ａの下面に節水コマ形状部４ｄが設けられたものとなっており、この節水コマ形状部４ｄは前記開口Ｋ内に出没できるように構成されており、テコ板１１が下方側へ操作されて前記弁体４が下降し、弁体４のゴム弁４ａが座部３ａに当接する前に、この節水コマ形状部４ｄが開口Ｋ内に入り込み、下降に伴って徐々に開口Ｋを通る水の流量を絞り込んでゆくことができるように設定されており、従って弁体４が閉じる方向へ移動される時には、先ず節水コマ形状部４ｄが開口Ｋ内に徐々に入り込んで開口Ｋを通る流量を徐々に絞り込み、その後に座部３ａにゴム弁４ａが当接して完全に開口Ｋが閉止されて、吐水口２ａからの吐水が停止されるのであり、このように節水コマ形状部４ｄを弁体４に一体形成させておけば、弁体４が閉じられる時には徐々に開口Ｋを通る流量が絞り込まれるために良好にウォーターハンマーの発生を防ぐことができるものとなる。
【００１５】
即ち、この節水コマ形状部４ｄが設けられていない場合には、テコ板１１が下方側へ操作された時にバネ１０により急激に弁体４のゴム弁４ａが座部３ａに当接して、急激に開口Ｋが閉ざされるために、水路Ｒ内の大量の水の流れが急激に閉ざされてウォーターハンマーが水路Ｒ内で発生するのであるが、節水コマ形状部４ｄにより開口Ｋを通る流量が徐々に絞り込まれることにより、ウォーターハンマーの発生を良好に防ぐことができるものとなる。このように弁体４に節水コマ形状部４ｄを形成させた簡単な構造により、良好に止水時のウォーターハンマーの発生を防ぐことができるものとなる。
【００１６】
なお、本例では、水栓における弁体４の作動機構を例示したが、水栓に限らず、フラッシュバルブのパイロット弁等においても、このような弁体作動機構を採用することができるものである。
【００１７】
【発明の効果】
本発明の水栓等の弁体作動機構は、水路を開閉する弁体と、支点を中心として下方側または上方側へ傾動することにより前記弁体を閉または開方向へ移動させることのできる該弁体に連繋されたテコ板と、該テコ板が下方側または上方側へ傾動される時に、傾動回転力を与え、かつ傾動完了後の位置保持力を与えることのできるバネを、前記テコ板を支点へ押し付ける方向に配設したことにより、テコ板を上方または下方側へ傾動操作させて弁体を開閉させる時に、テコ板がつりあい点を超えた時にはバネの付勢力により傾動操作方向への回転力が付与されて、極めて軽い力でテコ板を操作することができるものとなり、また、バネの付勢力によりテコ板の傾動完了後の位置が強固に保持されることとなり、操作が軽く行え、良好に吐水状態または止水状態を維持できるものとなる。
【００１８】
また、水路を開閉する弁体に、該弁体が閉じる方向へ移動される時に徐々に流量を絞り込むことのできる節水コマ形状部を設けたことにより、弁体が閉ざされる時に節水コマ形状部により水路を流れる水の流量が徐々に絞り込まれるため、弁体が急激に閉止されることがなく、良好にウォーターハンマーの発生を防ぐことができるものとなり、節水コマ形状部を弁体に設けるだけの簡単な構造により良好なウォーターハンマー防止構造を形成させることができる効果を有する。
【図面の簡単な説明】
【図１】第１実施例の水栓の縦断面構成図である。
【図２】図１の平面構成図である。
【図３】図１における弁体作動機構を構成する要部分解斜視図である。
【図４】変更例を示す水栓の縦断面構成図である。
【図５】変更例を示す水栓の縦断面構成図である。
【符号の説明】
１  水栓
２  本体部
２ａ  吐水口
３  仕切壁
３ａ  座部
４  弁体
４ａ  ゴム弁
４ｂ  弁フランジ
４ｃ  弁軸
４ｄ  節水コマ形状部
５  封止部材
６  上面部材
７  固定板部
８  側面板部
８ａ  支点凹部
９  背面板部
９ａ  バネ引掛片
１０  バネ
１０ａ，１０ｂ  引掛端部
１１  テコ板
１１ａ  バネ孔部
１１ｂ  支点段部
１１ｆ  延出レバー部
１１ｇ  バネ引掛孔
１２  カバー
Ｒ  水路
Ｋ  開口
Ｘ  支点
Ｙ  バネ支持点
Ｚ  つりあい平面
【図１】
0003783178.tif 000002
【図２】
0003783178.tif 000003
【図３】
0003783178.tif 000004
【図４】
0003783178.tif 000005
【図５】
0003783178.tif 000006